(57)【要約】【課題】指針固渋の未然防止ならびに固渋による指針の故障を解消する油面計の指針の遠隔操作用工具を提供する。【解決手段】遠隔操作用工具１０は、高所に配置されたダイヤル形の油面計７の目盛板７１ｓに配置した指針７ｐを遠隔操作できる。遠隔操作用工具１０は、絶縁性を有する長尺の操作棒１、操作棒１の先端部に取り付けた磁石２、及び、磁石２を覆うカバー部材３を備える。磁石２は、カバー部材３を介して、指針７ｐを回動する磁力を有している。カバー部材３を油面計７の指針７ｐに近づけ、カバー部材３の内部の磁石２で指針７ｐを吸磁し、指針７ｐを複数回、往復動させることで、指針固渋の未然防止ならびに固渋による指針７ｐの故障を容易に解消できる。【選択図】図１
2017003523.tif 000002
【特許請求の範囲】
【請求項１】
高所に配置されたダイヤル形の油面計の目盛板に配置した指針を遠隔操作できる油面計の指針の遠隔操作用工具であって、
絶縁性を有する長尺の操作棒と、
この操作棒の先端部に取り付けた磁石と、
この磁石を覆うカバー部材と、を備え、
前記磁石は、前記カバー部材を介して、前記指針を回動する磁力を有している、油面計の指針の遠隔操作用工具。
【請求項２】
前記カバー部材は、絶縁性を有する合成樹脂で構成している、請求項１記載の油面計の指針の遠隔操作用工具。
【請求項３】
前記カバー部材は、前記磁石の相反する向きに向かう一対の側面を覆う薄板部材を備えている、請求項１又は２記載の油面計の指針の遠隔操作用工具。
【請求項４】
前記操作棒は、伸縮自在な複数の管体からなる、請求項１から３のいずれかに記載の油面計の指針の遠隔操作用工具。
【請求項５】
前記操作棒は、
一端部側に前記カバー部材を着脱自在に固定した第１管体と、
前記第１管体の他端部側を内部に収容して、この第１管体の他端部側を軸方向に引き出し自在に、当該第１管体と嵌合する第２管体と、を備え、
前記第２管体は、
一端部側に形成した雄ねじ部と、
この雄ねじ部から突出するすり割り付きの円錐部と、
前記雄ねじ部に螺合して、前記円錐部を縮径できるナット部材と、を有し、
前記操作棒は、前記雄ねじ部に前記ナット部材を締結して、前記第２管体の手許部から前記磁石を当該操作棒の軸方向の所定の高さに位置させる請求項４記載の油面計の指針の遠隔操作用工具。
【発明の詳細な説明】
【技術分野】
【０００１】
本発明は、油面計の指針の遠隔操作用工具に関する。特に、高所に配置されたダイヤル形の油面計の目盛板に配置した指針を遠隔操作して、指針固渋の未然防止ならびに固渋による指針の故障を解消する油面計の指針の遠隔操作用工具の構造に関する。
【背景技術】
【０００２】
例えば、変発電所などでは、屋外用の大容量の変圧器を設置している。このような変圧器は、絶縁油を内部に充填している。変圧器の内部に絶縁油を充填することで、内部に配置された巻線を絶縁できると共に、変圧に起因する巻線の発熱を抑制できる。
【０００３】
上記の絶縁油は、変圧器の内部の温度変化により、その体積が膨張又は収縮する。絶縁油が膨張と収縮を繰り返すと、変圧器の内部には、空気が出入りし、いわゆる、呼吸作用が発生する。呼吸作用によって変圧器の内部に空気が流入すると、空気中に含まれる水分が絶縁油に接触し絶縁油が酸化することで、絶縁油の絶縁性能が劣化する。
【０００４】
そこで、呼吸作用による絶縁油の劣化を抑制するため、コンサベータと呼ばれる密封型タンクを変圧器の上部に設置し、変圧器の内部の絶縁油と連通させている。コンサベータの内部は、変圧器の内部の絶縁油で満たされているが、上部に空気を充填している。絶縁油が膨張又は収縮すると、この空気が緩衝となって膨張対策が可能となる。又、コンサベータを設けることで、絶縁油が空気に触れる面積が小さくなり、呼吸作用による影響を軽減できる。
【０００５】
一般に、コンサベータは、内部に充填された絶縁油の容量を監視するため、ダイヤル形の油面計を外部に取り付けている。変圧器の内部の絶縁油が膨張すると、コンサベータの内部の油面が上昇する。一方、変圧器の内部の絶縁油が収縮すると、コンサベータの内部の油面が下降する。
【０００６】
油面計は、内部に充填された絶縁油の容量の変動に伴う油面の変位を機械的計測手段で検知している。そして、油面計は、機械的計測手段で検知した油面の変位を油面計の目盛板に配置した指針の回動角度に変換している。
【０００７】
前述したコンサベータ用油面計としては、コンサベータの内部に揺動自在に配置され、油面の変位に追従して上下動するフロート又はローラを先端部に有する連接棒を備えた油面計が開示されている（例えば、特許文献１参照）。
【０００８】
特許文献１による油面計は、コンサベータの内部の油面の変動に追随して揺動する連接棒と、連接棒の基端部の回転運動を伝達する歯車装置と、歯車装置の末端側に配置した駆動マグネットと、指針の回転軸の基端部に固定した被駆動マグネットと、を備え、駆動マグネットと被駆動マグネットは、非接触状態で対向配置されていると共に、連動自在に磁気的に連結している。
【先行技術文献】
【特許文献】
【０００９】
【特許文献１】特開平９−３５９４３号公報
【発明の概要】
【発明が解決しようとする課題】
【００１０】
図３は、従来技術の一例による変圧器及びコンサベータの構成を示す正面図である。図４は、従来技術の一例による変圧器及びコンサベータの構成を示す右側面図である。
【００１１】
図５は、従来技術によるコンサベータの構成を示す図であり、図５（Ａ）は、コンサベータの縦断面図、図５（Ｂ）は、図５（Ａ）のＡ−Ａ矢視断面図である。図６は、従来技術による油面計の構成を示す図であり、図６（Ａ）は、油面計を表示面から観た図、図６（Ｂ）は、油面計の右側面図である。
【００１２】
図７は、従来技術による油面計を拡大した縦断面図である。図８は、図７のＡ矢視図である。なお、本願の図６（Ｂ）は、特許文献１の図２に相当し、本願の図７は、特許文献１の図４に相当している。
【００１３】
図３又は図４を参照すると、従来技術の一例による変圧器９は、変圧器本体９１とコンサベータ８を備えている。変圧器本体９１は、外箱としてのタンクケース９１０を備えている。図示したタンクケース９１０は、直方体状に外殻を構成している。
【００１４】
図３又は図４を参照すると、タンクケース９１０は、鉄心９１ａ及び巻線９１ｂを内部に格納を格納している。又、タンクケース９１０は、絶縁油を内部に充填している。タンクケース９１０の内部に絶縁油を充填することで、鉄心９１ａ及び巻線９１ｂの発熱を抑制できる。コンサベータ８は、タンクケース９１０の上部に配置されている。
【００１５】
図３又は図４を参照すると、タンクケース９１０は、一次側ブッシング９１１と二次側ブッシング９１２を上部に取り付けている。一次側ブッシング９１１は、高圧用の一次ブッシング端子を上部に備えている。同様に、二次側ブッシング９１２は、低圧用の二次ブッシング端子を上部に備えている。
【００１６】
図３又は図４を参照すると、タンクケース９１０は、複数の放熱器９２を前部及び後部に配列している。これらの放熱器９２は、タンクケース９１０を自然冷却するために、放熱面積が大きくなるように、構成している。又、タンクケース９１０は、ダイヤル形の油温計９１ｔを一方の側面に取り付けている（図４参照）。油温計９１ｔは、タンクケース９１０の内部に充填した絶縁油の温度を表示している。
【００１７】
図５を参照すると、コンサベータ８は、円筒状のタンク本体８０と一組の油面計７・７を備えている。タンク本体８０は、絶縁油Ｆを内部に収容している。油面計７は、タンク本体８０の側面に着脱自在に取り付けている。
【００１８】
図５を参照すると、タンク本体８０は、連結管８１と排油弁８２を底部に備えている。連結管８１は、タンク本体８０とタンクケース９１０を連通している。タンクケース９１０の内部の絶縁油Ｆが温度変化により膨張又は収縮すると、連結管８１を介して、タンク本体８０の内部の絶縁油Ｆの容量が増減するように構成している。排油弁８２を駆動することで、タンク本体８０の内部の絶縁油Ｆを排出できる。
【００１９】
図５を参照すると、タンク本体８０は、袋状のゴムセル８３を内部に収容している。又、タンク本体８０は、ブリーザ管８４、真空弁８５、及び、空気抜弁８６を上部に備えている。タンク本体８０の内部とゴムセル８３の間の空間は、負圧になっている。ブリーザ管８４を介して、ゴムセル８３の内部に空気を充填することで、ゴムセル８３を膨らますことができる。
【００２０】
図５を参照して、タンク本体８０の内部の絶縁油Ｆの容量が増加すると、ゴムセル８３を圧縮して、タンク本体８０の内部の油面が上昇する。一方、タンク本体８０の内部の絶縁油Ｆの容量が減少すると、ゴムセル８３が膨張復帰して、タンク本体８０の内部の油面が下降する。
【００２１】
図５を参照すると、タンク本体８０は、複数のゴムセル遮断防止板８７ｔを内部の上壁側に配置している。又、タンク本体８０は、一組のゴムセル遮断防止板８８ｔを内部の下壁側に配置している。
【００２２】
図５を参照すると、ゴムセル遮断防止板８７ｔは、ゴムセル８３がタンク本体８０の内部の上壁に密着して、真空弁８５及び空気抜弁８６に連通する開口を遮断することを防止している。同様に、ゴムセル遮断防止板８８ｔは、ゴムセル８３がタンク本体８０の内部の下壁に密着して、連結管８１及び排油弁８２に連通する開口を遮断することを防止している。
【００２３】
図５を参照すると、油面計７は、内部に空洞を有する球状のフロート７ｆをタンク本体８０の内部に配置している。フロート７ｆは、絶縁油Ｆから浮力を付与されると共に、ゴムセル８３に当接している。フロート７ｆは、タンク本体８０の内部の油面の高さに追従して、上下動できる。なお、油面計７の詳細な構成は、次に述べる。
【００２４】
図６又は図７を参照すると、油面計７は、フロート７ｆとＬ字状の連接棒７ｓを備えている。又、油面計７は、内部に空洞を有するケース７ｃと歯車装置７ｇを備えている。連接棒７ｓは、フロート７ｆを先端部に固定している。又、連接棒７ｓは、その基端部が一対の軸受板７１ｂ・７１ｂに回動自在に両軸支持されている。一対の軸受板７１ｂ・７１ｂは、ケース７ｃのフランジ部７１ｆ側に固定されている。
【００２５】
図７を参照すると、ケース７ｃは、円盤状のフランジ部７１ｆを一端部側に設けている。複数のボルト部材（図示せず）を用いて、フランジ部７１ｆをタンク本体８０の側面に着脱自在に取り付けることができる（図５参照）。又、ケース７ｃは、円形の目盛板７１ｓと指針７ｐを他端部側に配置している。
【００２６】
図６から図８を参照すると、目盛板７１ｓは、タンク本体８０の内部の油面の高さを示す目盛と数値を外縁側に表示している。そして、指針７ｐの指し示す数値から油面の高さを計測できる。なお、図７を参照すると、ケース７ｃは、透明板７１ｃを前面に備えている。透明板７１ｃは、目盛板７１ｓと指針７ｐを防水可能に覆っている。
【００２７】
図７を参照すると、ケース７ｃは、指針７ｐの最高振れ角度と最低振れ角度を検出するリミットスイッチＬＳを内部に備えている。又、ケース７ｃは、リミットスイッチＬＳと電気的に接続するリード線と接続自在な端子箱７１ｔを外側に配置している。
【００２８】
図７を参照して、端子箱７１ｔ介して、リミットスイッチＬＳを外部の監視装置に電気的に接続し、指針７ｐが最高振れ角度になったときに、すなわち、油面が最高値になったときに、警報を発するように構成でき、指針７ｐが最低振れ角度になったときに、すなわち、油面が最低値になったときに、警報を発するように構成できる。
【００２９】
図７を参照すると、歯車装置７ｇは、第１平歯車７１ｇと第２平歯車７２ｇ、及び、第１傘歯車７３ｇと第２傘歯車７４ｇを備えている。第１平歯車７１ｇは、歯数が多い大歯車になっている。第２平歯車７２ｇは、歯数が少ない小歯車になっている。第１平歯車７１ｇと第２平歯車７２ｇは、回転運動を伝動自在に噛み合っている。
【００３０】
図７を参照すると、第１平歯車７１ｇは、連接棒７ｓの基端部に設けた回転軸と同軸上に固定されている。そして、フロート７ｆの上下運動が第１平歯車７１ｇの回転運動に変換されている。第２平歯車７２ｇには、第１平歯車７１ｇの回転運動が伝動される。
【００３１】
図７を参照すると、第１傘歯車７３ｇは、歯数が多い大歯車になっている。第２傘歯車７４ｇは、歯数が少ない小歯車になっている。第１傘歯車７３ｇと第２傘歯車７４ｇは、それらの仮想の回転中心が交わるように、回転運動を伝動自在に噛み合っている。
【００３２】
図７を参照すると、第１傘歯車７３ｇは、第２平歯車７２ｇと同軸上の回転軸に固定されている。そして、第２傘歯車７４ｇには、第１傘歯車７３ｇの回転運動が伝動される。
【００３３】
図７を参照すると、第２傘歯車７４ｇの反対側には、駆動マグネット７１ｍを配置している。一方、指針７ｐの回転軸の基端部には、被駆動マグネット７２ｍを固定している。駆動マグネット７１ｍと被駆動マグネット７２ｍは、非接触状態で対向配置されていると共に、連動自在に磁気的に連結している。
【００３４】
駆動マグネット７１ｍと被駆動マグネット７２ｍの間には、隔膜７１ｄを配置している。隔膜７１ｄは、タンク本体８０の内部の絶縁油Ｆが目盛板７１ｓ側に進出することを防止している（図５参照）。
【００３５】
このように、油面計７は、フロート７ｆの上下運動を第１平歯車７１ｇの回転運動に変換すると共に、第１平歯車７１ｇ→第２平歯車７２ｇ→第１傘歯車７３ｇ→第２傘歯車７４ｇ→駆動マグネット７１ｍ→被駆動マグネット７２ｍの経路を経て、指針７ｐを回動させている。
【００３６】
図３から図８を参照して、温度変化の少ない変圧器９は、これに連動して、コンサベータ８の内部の油面の変動も小さくなっている。つまり、指針７ｐの振れ角度が小さくなっている（図６（Ａ）又は図８参照）。このような状況のもとで、油面計７を長期間使用している間には、指針７ｐの回動軸と軸受の間の発錆および微細な粉塵の進入等により、指針７ｐが動作不良な固渋状態に至ることがある（図７参照）。そして、油面計７が真の油面の高さを表示しないことがある。
【００３７】
図７を参照して、指針７ｐが固渋した場合には、油面計７をコンサベータ８から取り外し、油面計７を分解修理することが確実な解決方法である。しかし、この間、変圧器９の稼働を停止しなければならない、という問題がある。又、高所に配置された油面計７をコンサベータ８から取り外すこと、及び、油面計７を分解修理するには、手間がかかるという問題がある。変圧器の稼働を停止することなく、指針固渋の未然防止ならびに固渋による指針の故障を容易に解消する油面計の指針の遠隔操作用工具が求められている。そして、以上のことが本発明の課題といってよい。
【００３８】
本発明は、このような課題に鑑みてなされたものであり、変圧器の稼働を停止することなく、指針固渋の未然防止ならびに固渋による指針の故障を容易に解消する油面計の指針の遠隔操作用工具を提供することを目的とする。
【課題を解決するための手段】
【００３９】
本発明者らは、指針の基端部に設けた被駆動マグネットは、駆動マグネットと非接触状態で磁気的に連結していることに着目し、指針を外部から動かす磁石を長尺の操作棒の先端部に取り付けることで、変圧器の稼働を停止することなく、指針固渋の未然防止ならびに固渋による指針の故障を容易に解消できることを見出し、これに基づいて、以下のような新たな油面計の指針の遠隔操作用工具を発明するに至った。
【００４０】
（１）本発明による油面計の指針の遠隔操作用工具は、高所に配置されたダイヤル形の油面計の目盛板に配置した指針を遠隔操作できる油面計の指針の遠隔操作用工具であって、絶縁性を有する長尺の操作棒と、この操作棒の先端部に取り付けた磁石と、この磁石を覆うカバー部材と、を備え、前記磁石は、前記カバー部材を介して、前記指針を回動する磁力を有している。
【００４１】
（２）前記カバー部材は、絶縁性を有する合成樹脂で構成していることが好ましい。
【００４２】
（３）前記カバー部材は、前記磁石の相反する向きに向かう一対の側面を覆う薄板部材を備えていることが好ましい。
【００４３】
（４）前記操作棒は、伸縮自在な複数の管体からなることが好ましい。
【００４４】
（５）前記操作棒は、一端部側に前記カバー部材を着脱自在に固定した第１管体と、前記第１管体の他端部側を内部に収容して、この第１管体の他端部側を軸方向に引き出し自在に、当該第１管体と嵌合する第２管体と、を備え、前記第２管体は、一端部側に形成した雄ねじ部と、この雄ねじ部から突出するすり割り付きの円錐部と、前記雄ねじ部に螺合して、前記円錐部を縮径できるナット部材と、を有し、前記操作棒は、前記雄ねじ部に前記ナット部材を締結して、前記第２管体の手許部から前記磁石を当該操作棒の軸方向の所定の高さに位置させことが好ましい。
【発明の効果】
【００４５】
本発明による油面計の指針の遠隔操作用工具は、カバー部材を介して、磁石で指針を回動でき、変圧器の稼働を停止することなく、指針固渋の未然防止ならびに固渋による指針の故障を容易に解消できる。
【００４６】
又、本発明による油面計の指針の遠隔操作用工具は、長尺の操作棒の先端部に磁石を備え、操作棒を操作して、高所に配置された油面計の指針を操作できる。
【図面の簡単な説明】
【００４７】
【図１】本発明の一実施形態による油面計の指針の遠隔操作用工具の構成を示す斜視図である。
【図２】前記実施形態による油面計の指針の遠隔操作用工具の構成を示す斜視分解組立図である。
【図３】従来技術の一例による変圧器及びコンサベータの構成を示す正面図である。
【図４】従来技術の一例による変圧器及びコンサベータの構成を示す右側面図である。
【図５】従来技術によるコンサベータの構成を示す図であり、図５（Ａ）は、コンサベータの縦断面図、図５（Ｂ）は、図５（Ａ）のＡ−Ａ矢視断面図である。
【図６】従来技術による油面計の構成を示す図であり、図６（Ａ）は、油面計を表示面から観た図、図６（Ｂ）は、油面計の右側面図である。
【図７】従来技術による油面計を拡大した縦断面図である。
【図８】図７のＡ矢視図である。
【発明を実施するための形態】
【００４８】
以下、図面を参照して本発明を実施するための形態を説明する。
［油面計の指針の遠隔操作用工具の構成］
最初に、本発明の一実施形態による油面計の指針の遠隔操作用工具の構成を説明する。
【００４９】
図１は、本発明の一実施形態による油面計の指針の遠隔操作用工具の構成を示す斜視図である。図２は、前記実施形態による油面計の指針の遠隔操作用工具の構成を示す斜視分解組立図である。なお、従来技術で用いた符号と同じ符号を有する構成品は、その作用を同じとするので、説明を省略することがある。
【００５０】
（全体構成）
図１又は図２を参照すると、本発明の一実施形態による油面計の指針の遠隔操作用工具（以下、遠隔操作用工具と略称する）１０は、長尺の操作棒１、直方体状の磁石２、及び円柱状のカバー部材３を備えている。操作棒１は、絶縁性を有している。磁石２は、カバー部材３を介して、操作棒１の先端部に取り付けている。カバー部材３は、磁石２を覆っている。磁石２は、カバー部材３を介して、指針７ｐを回動する磁力を有している（図１参照）。
【００５１】
（操作棒の構成）
次に、実施形態による操作棒１の構成を説明する。図１又は図２を参照すると、操作棒１は、パイプからなる第１管体１１とパイプからなる第２管体１２を備えている。第１管体１１は、その一端部側に雌ねじ部１１ｆを穿設している（図２参照）。一方、カバー部材３は、雌ねじ部１１ｆに螺合自在な雄ねじ部３２ｍを突出している（図２参照）。そして、第１管体１１の一端部側には、カバー部材３を着脱自在に固定できる（図１参照）。
【００５２】
図１又は図２を参照すると、第２管体１２は、第１管体１１の他端部側を内部に収容できる。そして、第２管体１２は、第１管体１１の他端部側を軸方向に引き出し自在に、第１管体２１と嵌合している。つまり、第１管体１１と第２管体１２は、伸縮自在に構成している。
【００５３】
図２を参照すると、第２管体１２は、その一端部側に雄ねじ部１２１を形成している。又、第２管体１２は、雄ねじ部１２１から円錐部１２２を突出している。円錐部１２２には、複数のすり割り１２３を設けている。更に、第２管体１２は、ナット部材１３を有している。ナット部材１３は、雄ねじ部１２１に螺合して、円錐部１２２を縮径できる。
【００５４】
図１又は図２を参照すると、ナット部材１３を一方の方向に回転すると、第１管体１１に対して第２管体１２をスライドできる。ナット部材１３を他方の方向に回転すると、第１管体１１に対して第２管体１２を固定できる。
【００５５】
図１又は図２を参照して、操作棒１は、第２管体１２の雄ねじ部１２１にナット部材１３を締結して、第２管体１２の手許部から磁石２を操作棒１の軸方向の所定の高さに位置させることができる。第１管体１１、第２管体１２、及びナット部材１３は、絶縁性を有する合成樹脂からなることが好ましく、操作棒１が変圧器９の充電部に不用意に触れても、地絡を防止できる。
【００５６】
（カバー部材の構成）
次に、実施形態によるカバー部材３の構成を説明する。図１又は図２を参照すると、カバー部材３は、円柱状の保持部３１と軸部３２で構成している。保持部３１は、有底の矩形の保持穴３１ｈを中央部に開口している（図２参照）。保持穴３１ｈには、磁石２を収容できる。
【００５７】
図２を参照して、保持穴３１ｈに磁石２を収容した状態で、保持部３１の一方の面を円板状の薄板部材３１ｂで覆うことができる。接着剤を用いて、薄板部材３１ｂを保持部３１の一方の面に固定できる。保持穴３１ｈの底部も薄板部材３１ｂと同様に薄肉になっている。このように、保持部３１は、磁石２の相反する向きに向かう一対の側面を覆う薄板部材を備えているので、磁石２の磁力を減衰させることなく、指針７ｐを吸磁できる（図１参照）。
【００５８】
図１又は図２を参照すると、軸部３２は、保持部３１の底面から突出している。軸部３２は、その末端部から雄ねじ部３２ｍを突出している。雄ねじ部３２ｍは、雌ねじ部１１ｆに螺合できる（図２参照）。
【００５９】
又、図１又は図２を参照すると、軸部３２は、相反する向きに向かう一対の平坦部３２ｆ・３２ｆを外周に形成している。スパナなどの工具で一対の平坦部３２ｆ・３２ｆを挟持し、軸部３２のその軸回りに回転できる。そして、カバー部材３を第１管体１１に容易に着脱できる。
【００６０】
図２を参照して、保持部３１と軸部３２は、絶縁性を有する合成樹脂からなることが好ましく、保持部３１と軸部３２を一体成形することが好ましい。同様に、薄板部材３１ｂは、絶縁性を有する合成樹脂からなることが好ましい。このように、遠隔操作用工具１０は、絶縁性を有するカバー部材３で磁石２を覆っているので、カバー部材３が変圧器９の充電部に不用意に触れても、地絡を防止できる。
【００６１】
［油面計の指針の遠隔操作用工具の作用］
次に、実施形態による遠隔操作用工具１０の使用方法を説明しながら、遠隔操作用工具１０の作用及び効果を説明する。
【００６２】
図１又は図２を参照して、第１管体１１と第２管体１２を互いに引き伸ばした状態で、第２管体１２の手許部を把持して、カバー部材３を持ち上げると、高所に配置された油面計７に磁石２を近づけることができる（図４又は図５参照）。例えば、操作棒１は、最大５ｍ程度まで引き延ばせるように設定しておくことが好ましい。又、カバー部材３の外径は、１０ｃｍ程度に設定しておくことが好ましい。
【００６３】
次に、図１を参照して、カバー部材３を油面計７の指針７ｐに近づけ、カバー部材３の内部の磁石２で指針７ｐを吸磁し、指針７ｐを複数回、往復動させることで、指針固渋の未然防止ならびに固渋による指針７ｐの故障を容易に解消できる。図７を参照して、指針７ｐの基端部に設けた被駆動マグネット７２ｍは、駆動マグネット７１ｍと非接触状態で磁気的に連結しているので、指針７ｐの外部操作が可能である。
【００６４】
このように、図１又は図２を参照すると、実施形態による遠隔操作用工具１０は、カバー部材３を介して、磁石２で指針７ｐを回動でき、変圧器９の稼働を停止することなく、指針固渋の未然防止ならびに固渋による指針７ｐの故障を容易に解消できる。
【００６５】
又、図１又は図２を参照すると、実施形態による遠隔操作用工具１０は、長尺の操作棒１の先端部に磁石２を備え、操作棒１を操作して、高所に配置された油面計７の指針７ｐを操作できる。
【００６６】
本発明による油面計の指針の遠隔操作用工具は、以下の効果が期待できる。
（１）コンサベータの内部の絶縁油を排出すことなく、又、フロートの動作を伴うことなく、外部から指針を動作でき、指針固渋の未然防止ならびに指針の固渋を解消できる。
（２）遠隔操作用工具を絶縁部材で構成しているので、変圧器の充電部に不用意に触れても、地絡を防止できる。
【符号の説明】
【００６７】
１  操作棒
２  磁石
３  カバー部材
７  油面計
７ｐ  指針
１０  遠隔操作用工具（油面計の指針の遠隔操作用工具）
７１ｓ  目盛板
【図１】
2017003523.tif 000003
【図２】
2017003523.tif 000004
【図３】
2017003523.tif 000005
【図４】
2017003523.tif 000006
【図５】
2017003523.tif 000007
【図６】
2017003523.tif 000008
【図７】
2017003523.tif 000009
【図８】
2017003523.tif 000010